(57)【要約】【課題】所望のサイズの付箋紙を容易に作成することができる付箋紙作成装置を提供する。【解決手段】ロール状に巻回した用紙Ｔから、一方の端部に剥離可能な粘着部を有する付箋紙を作成する付箋紙作成装置１であって、ロール状の用紙Ｔを繰出しながら送る用紙送り手段５と、送られてきた用紙Ｔを所望の寸法に切断して紙片Ｔ１を形成する切断手段７と、切断される紙片Ｔ１の端部に粘着剤Ｎを塗布する粘着剤塗布手段８と、を備えたことを特徴とする。【選択図】図１
2008080558.tif 000002
【特許請求の範囲】
【請求項１】
ロール状に巻回した用紙から、一方の端部に剥離可能な粘着部を有する付箋紙を作成する付箋紙作成装置であって、
ロール状の前記用紙を繰出しながら送る用紙送り手段と、
送られてきた前記用紙を所望の寸法に切断して紙片を形成する切断手段と、
切断される前記紙片の端部に粘着剤を塗布する粘着剤塗布手段と、を備えたことを特徴とする付箋紙作成装置。
【請求項２】
前記切断手段は、カッタ刃と、前記カッタ刃を前記用紙の幅方向に移動させて切断動作させる移動機構と、を有していることを特徴とする請求項１に記載の付箋紙作成装置。
【請求項３】
前記カッタ刃は、斜刃および回転刃のいずれか一方であることを特徴とする請求項２に記載の付箋紙作成装置。
【請求項４】
前記粘着剤塗布手段は、前記用紙に粘着剤を転写する転写粘着テープと、前記転写粘着テープを巻回したリールユニットと、前記転写粘着テープを前記用紙に押し付けた状態で、前記リールユニットと共に前記用紙の幅方向に移動させて、粘着剤を前記用紙に転写動作させる移動機構と、を有していることを特徴とする請求項１ないし３のいずれかに記載の付箋紙作成装置。
【請求項５】
前記リールユニットは、前記転写粘着テープを繰り出す繰出しリールと、繰り出した前記転写粘着テープを巻き取る巻取りリールと、前記繰出しリールと前記巻取りリールとを連動させる連動機構と、から成ることを特徴とする請求項４に記載の付箋紙作成装置。
【請求項６】
前記切断手段の前記移動機構は、前記粘着剤塗布手段の前記移動機構を兼ねており、
前記移動機構は、前記カッタ刃および前記リールユニットを保持するキャリッジと、
前記キャリッジの移動をガイドする移動ガイドと、
動力源を構成するキャリッジモータと、
前記キャリッジモータの回転動力を往復動力に変換し、前記キャリッジを前記移動ガイドに沿って移動させるベルト機構と、から成ることを特徴とする請求項４または５に記載の付箋紙作成装置。
【請求項７】
前記移動ガイドは、前記切断動作および前記転写動作を案内する往動ガイド部と、前記往動ガイド部とは逆向きの案内を行う復動ガイド部と、前記往動ガイド部から前記復動ガイド部への移行部分となる上動ガイド部および前記復動ガイド部から前記往動ガイド部への移行部分となる下動ガイド部と、で環状に形成されていることを特徴とする請求項６に記載の付箋紙作成装置。
【請求項８】
前記用紙に印刷を行う印刷手段を、更に備えたことを特徴とする請求項１ないし７のいずれかに記載の付箋紙作成装置。
【請求項９】
ロール状に巻回した用紙から、一方の端部に剥離可能な粘着部を有する付箋紙を作成する付箋紙作成装置であって、
ロール状の前記用紙を繰出しながら送る用紙送り手段と、
送られてきた前記用紙を所望の寸法にミシン目を形成する用紙片部形成手段と、
形成される前記用紙片部の端部に粘着剤を塗布する粘着剤塗布手段と、を備えたことを特徴とする付箋紙作成装置。
【請求項１０】
前記用紙片部形成手段は、カッタ刃と、前記カッタ刃を前記用紙の幅方向に移動させて切断動作させる移動機構と、を有し、
前記カッタ刃は、周方向に間欠的に切り刃を形成した回転刃で構成されていることを特徴とする請求項９に記載の付箋紙作成装置。
【発明の詳細な説明】
【技術分野】
【０００１】
本発明は、一方の端部に剥離可能な粘着部を有する付箋紙を作成する付箋紙作成装置に関するものである。
【背景技術】
【０００２】
従来、この種の付箋紙作成装置として、予め片面に接着剤が塗布された帯状紙から、切断装置により１枚の付箋紙を順次打ち抜き、打ち抜いた付箋紙を積層させて付箋紙束を作成するものが知られている（特許文献１参照）。
【特許文献１】特開２０００−３１０９４５号公報
【発明の開示】
【発明が解決しようとする課題】
【０００３】
しかしながら、上記の付箋紙作成装置において、打ち抜く付箋紙の大きさは、所定のサイズとなっており、付箋紙のサイズを変更する場合は、切断装置の型を交換作業により変更しなければならない問題がある。このため、上記の付箋紙作成装置は、１枚毎に付箋紙のサイズを所望のサイズに変更する場合には、適していない。
【０００４】
本発明は、所望のサイズの付箋紙を容易に作成することができる付箋紙作成装置を提供することを課題とする。
【課題を解決するための手段】
【０００５】
本発明の付箋紙作成装置は、ロール状に巻回した用紙から、一方の端部に剥離可能な粘着部を有する付箋紙を作成する付箋紙作成装置であって、ロール状の用紙を繰出しながら送る用紙送り手段と、送られてきた用紙を所望の寸法に切断して紙片を形成する切断手段と、切断される紙片の端部に粘着剤を塗布する粘着剤塗布手段と、を備えたことを特徴とする。
【０００６】
この構成によれば、用紙送り手段により用紙の繰出し量を調整し、切断手段により用紙をカットすると共に、粘着剤塗布手段により粘着剤を塗布することで、（繰出し方向における）所望のサイズの付箋紙を作成することができる。なお、切断手段による用紙の切断は、スライド式、ギロチン式やハサミ式で行なうことが、好ましい。また、用紙の幅を変えることにより、所望の幅の付箋紙を作成することも可能となる。
【０００７】
この場合、切断手段は、カッタ刃と、カッタ刃を用紙の幅方向に移動させて切断動作させる移動機構と、を有していることが、好ましい。
【０００８】
この構成によれば、移動機構によりカッタ刃を用紙の幅方向にスライドさせることで、用紙を適切に切断することができる。
【０００９】
この場合、カッタ刃は、斜刃および回転刃のいずれか一方であることが、好ましい。
【００１０】
この構成によれば、カッタ刃を簡易な構成とすることができ、用紙を適切に切断することができる。
【００１１】
この場合、粘着剤塗布手段は、用紙に粘着剤を転写する転写粘着テープと、転写粘着テープを巻回したリールユニットと、転写粘着テープを用紙に押し付けた状態で、リールユニットと共に用紙の幅方向に移動させて、粘着剤を用紙に転写動作させる移動機構と、を有していることが、好ましい。
【００１２】
この構成によれば、転写粘着テープを用紙に押し付け、この状態で移動機構により、転写粘着テープを用紙の幅方向にスライドさせることで、用紙に適切に粘着剤を塗布することができる。
【００１３】
この場合、リールユニットは、転写粘着テープを繰り出す繰出しリールと、繰り出した転写粘着テープを巻き取る巻取りリールと、繰出しリールと巻取りリールとを連動させる連動機構と、から成ることが、好ましい。
【００１４】
この構成によれば、転写粘着テープを繰出すと同時に、連動機構により使用済みの転写粘着テープを巻き取ることができる。
【００１５】
この場合、切断手段の移動機構は、粘着剤塗布手段の移動機構を兼ねており、移動機構は、カッタ刃およびリールユニットを保持するキャリッジと、キャリッジの移動をガイドする移動ガイドと、動力源を構成するキャリッジモータと、キャリッジモータの回転動力を往復動力に変換し、キャリッジを移動ガイドに沿って移動させるベルト機構と、から成ることが、好ましい。
【００１６】
この構成によれば、キャリッジにカッタ刃およびリールユニットを搭載し、キャリッジモータを動力源としてベルト機構により、キャリッジを移動ガイドに沿って移動させることで、用紙に対し、切断と粘着剤の塗布とを同時に行うことができる。
【００１７】
この場合、移動ガイドは、切断動作および転写動作を案内する往動ガイド部と、往動ガイド部とは逆向きの案内を行う復動ガイド部と、往動ガイド部から復動ガイド部への移行部分となる上動ガイド部および復動ガイド部から往動ガイド部への移行部分となる下動ガイド部と、で環状に形成されていることが、好ましい。
【００１８】
この構成によれば、切断動作および転写動作を行なうときは、キャリッジを下動させてカッタ刃およびリールユニットを用紙に臨ませ、往動して切断動作および転写動作を行う。この後、キャリッジを上動させてカッタ刃およびリールユニットを用紙から離間させ、復動して元の位置まで戻る。このため、キャリッジを１サイクルさせることで、切断動作および転写動作を簡単に行うことができ、また、簡易な構成とすることができる。
【００１９】
この場合、用紙に印刷を行う印刷手段を、更に備えたことが、好ましい。
【００２０】
この構成によれば、用紙に印刷される印刷画像の大きさに合わせて付箋紙を作成することができる。このため、無駄な余白を設けることなく、印刷済み付箋紙を作成することができる。
【００２１】
本発明の他の付箋紙作成装置は、ロール状に巻回した用紙から、一方の端部に剥離可能な粘着部を有する付箋紙を作成する付箋紙作成装置であって、ロール状の用紙を繰出しながら送る用紙送り手段と、送られてきた用紙を所望の寸法にミシン目を形成する用紙片部形成手段と、形成される用紙片部の端部に粘着剤を塗布する粘着剤塗布手段と、を備えたことを特徴とする。
【００２２】
この構成によれば、用紙送り手段により用紙の繰出し量を調整し、用紙片部形成手段により用紙にミシン目を入れると共に、粘着剤塗布手段により粘着剤を塗布することで、（繰出し方向における）所望のサイズの付箋紙を、切離し可能且つ連続した状態で作成することができる。また、用紙の幅を変えることにより、所望の幅の付箋紙を作成することも可能となる。
【００２３】
この場合、用紙片部形成手段は、カッタ刃と、カッタ刃を用紙の幅方向に移動させて切断動作させる移動機構と、を有し、カッタ刃は、周方向に間欠的に切り刃を形成した回転刃で構成されていることが、好ましい。
【００２４】
この構成によれば、カッタ刃を用紙の幅方向に移動させることで、用紙に簡単にミシン目を形成することができる。
【発明を実施するための最良の形態】
【００２５】
以下、添付の図面を参照して本実施形態に係る付箋紙作成装置について説明する。この付箋紙作成装置は、装置ケース内部にセットされた用紙を繰り出して、これに印刷を行った後、印刷済み部分を切断すると共に、切断した用紙の一端部に粘着剤を塗布させて、所望のサイズの付箋紙を作成するものである。
【００２６】
図１に示すように、付箋紙作成装置１は、ロール状に巻回した用紙Ｔを繰り出しながら送る用紙送り手段５と、用紙送り手段５によるテープ繰出し方向の上流側に設けられ、送りながら用紙Ｔに印刷を行う印刷手段６と、用紙送り手段５の下流側に設けられ、印刷済み部分の用紙Ｔを切断して紙片Ｔ１を作成する切断手段７と、切断手段７の下流側に近接して設けられ、切断される紙片Ｔ１に粘着剤Ｎを塗布する粘着剤塗布手段８と、を備えている。
【００２７】
用紙Ｔは、例えば、感熱紙で構成され、これを円筒形の芯に、印刷面を内側にしてロール状になるよう巻回されている。もちろん、インクリボンを用いて、熱転写により用紙に印刷を行うようにしてもよい。
【００２８】
用紙送り手段５は、駆動ローラ１０および従動ローラ１１から成る一対の送りローラ１２から構成されており、用紙Ｔの幅方向に亘って、これを挟持して回転送りする。また、用紙送り手段５は、印刷手段６により用紙Ｔに印刷される印刷画像分および所定の余白分送ることが可能となっている。
【００２９】
印刷手段６は、用紙Ｔの印刷面に臨むよう用紙Ｔを挟んで下方に設けられたサーマルヘッド１５と、サーマルヘッド１５に対峙し、用紙Ｔを挟んで上方に設けられたプラテン板１６とを有している。サーマルヘッド１５とプラテン板１６との間には、上記の用紙Ｔが臨んでおり、非印刷時には、サーマルヘッド１５およびプラテン板１６の間は離間している。一方、印刷時には、サーマルヘッド１５がプラテン板１６との間に用紙Ｔを挟持して、用紙送り手段５により送られてゆく用紙Ｔの印刷面に印刷を行う。
【００３０】
切断手段７は、用紙Ｔを切断するカッタ刃２０と、カッタ刃２０を用紙Ｔの幅方向に往復移動させる移動機構２１と、カッタ刃２０を受ける受け台２２と、を有しており、移動機構２１によりカッタ刃２０を幅方向に往復移動させることで、用紙Ｔを横断して切断するよう構成されている。
【００３１】
カッタ刃２０は、例えば、斜刃を用いており、その切っ先は、受け台２２に僅かに切り込みが入るよう配置されている。なお、カッタ刃２０は、斜刃に限らず、回転刃であってもよい。
【００３２】
移動機構２１は、用紙Ｔの幅方向に往復動作するよう構成され、カッタ刃２０を保持するキャリッジ２５と、キャリッジ２５の移動をガイドする移動ガイド２６と、キャリッジ２５を移動させる動力源となるキャリッジモータ２７と、キャリッジモータ２７の回転動力を往復動力に変換するベルト機構２８と、を有している。なお、詳細は後述するが、この移動機構２１は、後述する粘着剤塗布手段８の移動機構２１を兼ねている。
【００３３】
ベルト機構２８は、上記のキャリッジモータ２７の動力により回転駆動する駆動プーリ３０と、従動プーリ３１と、駆動プーリ３０および従動プーリ３１に水平に掛け渡されたタイミングベルト３２と、下側のタイミングベルト３２に上記のキャリッジ２５を固定する固定具３３と、を有している。固定具３３には、キャリッジ２５に係合する第１ガイドピン３４が突設され、キャリッジ２５の上下移動をガイドしている。
【００３４】
キャリッジ２５は、固定具３３を介して下側のタイミングベルト３２により、往復自在且つ上下スライド自在に係合しており、カッタ刃２０を搭載したキャリッジ本体４０と、キャリッジ本体４０に設けられ、上記の第１ガイドピン３４に係合するガイド孔４１と、ガイド孔４１の下方に突設され、移動ガイド２６に係合する第２ガイドピン４２と、を有している。
【００３５】
移動ガイド２６は、ベルト機構２８の下方に環状に配設されており、キャリッジ２５の往復移動および上下移動を案内している。移動ガイド２６は、カッタ刃２０による切断動作を案内すると共に下側に配設された往動ガイド部４５と、往動ガイド部４５とは逆向きの案内をすると共に上側に配設された復動ガイド部４６と、往動ガイド部４５から復動ガイド部４６への移行部分となる上動ガイド部４７と、復動ガイド部４６から往動ガイド部４５への移行部分となる下動ガイド部４８と、逆向きに移動することを阻止する２つの逆止め片４９と、を有している。
【００３６】
２つの逆止め片４９は、その一方が、往動ガイド部４５から上動ガイド部４７への移行部分に設けられており、図示しないねじりコイルバネ等により下方に付勢されている。このため、ベルト機構２８によりキャリッジ２５を介して第２ガイドピン４２が往動動作を行うと、第２ガイドピン４２は、逆止め片４９の付勢に抗してこれを上方に移動させて、逆止め片４９の下側を通り、往動動作を終了する。そして、ベルト機構２８によりキャリッジ２５を介して第２ガイドピン４２が復動動作を開始すると、第２ガイドピン４２は、逆止め片４９の上側を通って上動ガイド部４７へ移行する。
【００３７】
同様に、他方の逆止め片４９は、下動ガイド部４８から往動ガイド部４５への移行部分に設けられており、図示しないねじりコイルバネ等により上方に付勢されている。このため、ベルト機構２８によりキャリッジ２５を介して第２ガイドピン４２が復動動作を行うと、第２ガイドピン４２は、逆止め片４９の付勢に抗してこれを下方に移動させて、逆止め片４９の上側を通り、往動ガイド部４５へ移行する。そして、ベルト機構２８によりキャリッジ２５を介して第２ガイドピン４２が往動動作を行なうと、第２ガイドピン４２は、逆止め片４９の下側を通過して往復動作を行う。
【００３８】
これにより、切断手段７は、往動動作により用紙Ｔを切断すると共に、復動動作によりカッタ刃２０を上方に移動させて、カッタ刃２０と受け台２２とを離間させ、この状態でキャリッジ２５を移動させる。そして、復動動作終了間近になると、カッタ刃２０を下方に移動させて、元の位置に待機させる。なお、移動ガイド２６を、略台形ではなく、略逆台形とし、カッタ刃２０を上動位置で待機させるようにしても良い。
【００３９】
図３に示すように、粘着剤塗布手段８は、ロール状に巻回した転写粘着テープＫと、繰出しリール６０および巻取りリール６１からなるリールユニット６２と、用紙Ｔに転写粘着テープＫを押し付ける粘着ヘッド６３と、繰出しリール６０および巻取りリール６１を連動させる連動機構６４と、を有しており、これらは上記のキャリッジ２５に搭載されている。すなわち、切断手段７の移動機構２１は、粘着剤塗布手段８の移動機構も兼ねている。同様に、粘着ヘッド６３の押圧を受ける受け台２２も兼用となっている。
【００４０】
転写粘着テープＫは、易剥離性の基材テープＫ１に粘着剤Ｎを塗布させた感圧式のものであり、転写粘着テープＫを用紙Ｔ上に押し当てた後、これを引き剥がすと、粘着剤Ｎのみが転写されるよう構成されている。また、粘着剤Ｎは、２層となっており、一方の層、すなわち、用紙Ｔに貼着される層は、貼着層として、他方の層は、感圧性粘着層として構成されている。これにより、用紙Ｔに塗布された粘着剤Ｎは、用紙Ｔから剥がれ落ちることがなく、また、対象物に対し剥離可能に貼着する。
【００４１】
リールユニット６２は、繰出しリール６０が、キャリッジ２５の上方に回転自在に設けられており、巻取りリール６１が、繰出しリール６０の下方に回転自在に設けられている。繰出しリール６０には、上記の転写粘着テープＫが、粘着面を外側にしてロール状に巻回されている。このため、転写粘着テープＫが引き出されてゆくと、繰出しリール６０が回転し、また、巻取りリール６１には、使用済みの基材テープＫ１が巻き取られてゆく。
【００４２】
粘着ヘッド６３は、繰出しリール６０と巻取りリール６１との間に掛け渡された転写粘着テープＫに臨み、転写粘着テープＫを用紙Ｔに押し当てるよう、キャリッジ２５から下方に突出して配設されている。粘着ヘッド６３は、基材テープＫ１と粘着剤Ｎとを分離する分離片を兼ねるようクサビ状に形成されており、転写粘着テープＫを介して用紙Ｔに押し当てられると、その先端が僅かに撓んだ状態となる。この状態で、移動機構２１により用紙Ｔの幅方向に移動させると、移動に伴って転写粘着テープＫが繰り出されて、基材テープＫ１から粘着剤Ｎが剥がれ、粘着剤Ｎは用紙Ｔに塗布する。そして、用紙Ｔから粘着ヘッド６３が離れると、転写粘着テープＫの粘着剤Ｎは分断される。
【００４３】
また、粘着ヘッド６３は、カッタ刃２０よりも往動方向先頭側に配設されているため、先行する粘着ヘッド６３により、用紙Ｔへの粘着剤Ｎの塗布が行なわれた後、後行するカッタ刃２０により、用紙Ｔが切断される。これにより、用紙Ｔへの粘着剤Ｎの塗布は、用紙Ｔの切断前に行われるため、用紙Ｔが粘着剤Ｎの塗布により位置ズレすることなく、粘着剤塗布手段８は、適切な位置に粘着剤Ｎを塗布することができる。
【００４４】
連動機構６４は、繰出しリール６０と同軸上に設けられた繰出しギア７０と、繰出しギア７０と噛合すると共に巻取りリール６１と同軸上に設けられた巻取りギア７１と、を有しており、各ギア７０、７１は各リール６０、６１と一体となって回転する。これにより、繰出しリール６０が回転すると、同時に繰出しギア７０も回転し、これに伴い巻取りギア７１が回転し、同時に巻取りリール６１も回転する（実際には、一定のトルクでスリップ回転）。このため、転写粘着テープＫを繰り出すと同時に、使用済みの基材テープＫ１を巻き取ることができる。
【００４５】
ここで、一連の付箋紙作成動作について簡単に説明する。付箋紙作成装置１に印刷指令が出されると、用紙送り手段５により、用紙Ｔが送られると共に、印刷手段６が、送られてゆく用紙Ｔに印刷を行う。そして、印刷手段６による印刷が終了すると、用紙送り手段５は、所定の余白分、用紙Ｔを送って、送り動作を終了する。この後、移動機構２１により、カッタ刃２０および粘着ヘッド６３が用紙Ｔの幅方向に移動して、切断動作および転写動作を行うことで、印刷済みの付箋紙が作成される。
【００４６】
以上の構成によれば、繰出し方向における所望のサイズの付箋紙を作成することができる。なお、切断手段７による用紙Ｔの切断は、スライド式に限らず、ギロチン式やハサミ式で行なうことも可能である。また、用紙Ｔの幅を変えることにより、所望の幅の付箋紙を作成することも可能となる。さらに、切断手段７と粘着剤塗布手段８とを個別に往復移動させるようにし、粘着剤Ｎの塗布を行なわず、用紙Ｔの切断のみを行なってもよい。また、粘着剤塗布手段８は、転写粘着テープＫにより用紙Ｔに粘着剤Ｎを塗布したが、これに限らず、用紙Ｔにスプレー等で粘着剤Ｎを吹き付けても良いし、速乾性の液状の粘着剤Ｎを塗りつけても良い。
【００４７】
次に、図４を参照して、第２実施形態に係る付箋紙作成装置１について説明する。なお、重複した説明を避けるべく、異なる部分についてのみ説明する。この付箋紙作成装置１は、第１実施形態における付箋紙作成装置１のカッタ刃２０を、周方向に間欠的に切り刃を形成した回転刃８０に、代えたものである。
【００４８】
上記の回転刃８０を用いて、切断手段７により切断動作を行うと、用紙Ｔには、幅方向にミシン目が形成される。このため、付箋紙は、切離し可能且つ連続した状態で作成される。この構成においても、繰出し方向における所望のサイズの付箋紙を作成することができ、また、連続して作成した複数枚の付箋紙を一続きの状態で取り扱うことができる。
【図面の簡単な説明】
【００４９】
【図１】（ａ）は、本実施形態に係る付箋紙作成装置の断面模式図であり、（ｂ）は、本実施形態に係る付箋紙作成装置の上面模式図である。
【図２】移動機構の模式図である。
【図３】粘着剤塗布手段の模式図である。
【図４】第２実施形態係る付箋紙作成装置の回転刃の模式図である。
【符号の説明】
【００５０】
１…付箋紙作成装置  ５…用紙送り手段  ６…印刷手段  ７…切断手段  ８…粘着剤塗布手段  ２０…カッタ刃  ２１…移動機構  ２５…キャリッジ  ２６…移動ガイド  ２７…キャリッジモータ  ２８…ベルト機構  ４５…往動ガイド部  ４６…復動ガイド部  ４７…上動ガイド部  ４８…下動ガイド部  ６２…リールユニット  ６４…連動機構  ８０…回転刃  Ｔ…用紙  Ｎ…粘着剤  Ｋ…転写粘着テープ  Ｋ１…基材テープ
【図１】
2008080558.tif 000003
【図２】
2008080558.tif 000004
【図３】
2008080558.tif 000005
【図４】
2008080558.tif 000006